(57)【特許請求の範囲】
【請求項１】
開口部が形成された口径板と、レンズと前記口径板を内部に収容して保持するレンズ筒とを、有するレンズ鏡筒において、
前記レンズ筒の内周に、所定の高さに隆起し所定の間隔で配置された突起部と、少なくとも１つの筒部回転止めと、を有し、
前記口径板の外周に、少なくとも２つの嵌合部群と、少なくとも１つの板部回転止めと、を有し、
前記嵌合部群は、前記突起部と対向する嵌合部が当該突起部のそれぞれに対して形成され、
前記嵌合部は、前記開口部の中心を中心とする、前記突起部に対向する円弧面を有し、
前記嵌合部の前記突起部に対向する円弧面の半径は、前記嵌合部群ごとに異なり、
前記筒部回転止めと前記板部回転止めとが係合するとともに、前記嵌合部群のいずれか１つと前記突起部とが対向することによって、前記レンズ筒と前記口径板とが、はまり合うレンズ鏡筒。
【請求項２】
前記口径板の外周に、２つの前記嵌合部群を有し、
一方の前記嵌合部群における前記嵌合部の前記突起部に対向する円弧面は、前記突起部と接触し、
他方の前記嵌合部群における前記嵌合部の前記突起部に対向する円弧面は、前記突起部と接触する位置からずれている請求項１に記載のレンズ鏡筒。
【請求項３】
前記突起部のそれぞれは、前記レンズ筒の内周に均等に形成され、
前記嵌合部群の１つは、前記嵌合部のそれぞれが前記口径板の外周に均等に形成されている請求項１または２に記載のレンズ鏡筒。
【請求項４】
前記口径板は、前記嵌合部群をそれぞれ判別する目印を有している請求項１から３のいずれか１項に記載のレンズ鏡筒。
【請求項５】
前記板部回転止めが凸状部であり、
前記筒部回転止めが凹状部であり、
前記凸状部と前記凹状部とが略矩形に形成されている請求項１から４のいずれか１項に記載のレンズ鏡筒。
【請求項６】
請求項１から５のいずれか１項に記載のレンズ鏡筒を備える撮像装置。
【発明の詳細な説明】
【技術分野】
【０００１】
本発明は、レンズ鏡筒及び撮像装置に関する。
【背景技術】
【０００２】
レンズと口径板をレンズ筒に組み付けた構成のレンズ鏡筒では、口径板の開口部の中心をレンズの光軸と一致させる必要がある。しかし、レンズ筒の加工誤差や口径板の加工誤差等により、口径板の開口部の中心がレンズの光軸と一致しない場合がある。
【０００３】
この問題を改善するため、特許文献１には、レンズ筒の内周面の複数の凸部に口径板の外周に形成された複数の傾斜部を係合させることにより、加工誤差があっても口径板の開口部の中心をレンズ筒の中心軸に一致させることできるレンズ鏡筒が開示されている。
【先行技術文献】
【特許文献】
【０００４】
【特許文献１】特開２００７−１７１７２６号公報
【発明の概要】
【発明が解決しようとする課題】
【０００５】
特許文献１に記載のレンズ鏡筒は、レンズ筒の内周面の凸部と口径板の外周の傾斜部とを係合させる構造であるため、落下等の強い衝撃が加わると係合が解け、口径板の開口部の中心がレンズ筒の中心軸からずれてしまうおそれがある。
【０００６】
また、一般的に、自動車に搭載される撮像装置は、乗用者等の安全担保のため、撮像された動画にゴースト障害といった車線認識の障害が発生しないことが求められる。しかしながら、特許文献１に記載のレンズ鏡筒を備えた撮像装置では、口径板の開口部の中心がレンズ筒の中心軸からずれてしまうおそれがある。そのため、障害の発生を防止するといった観点からすると未だ十分ではなく、特許文献１に記載のレンズ鏡筒を備えた撮像装置は、例えば自動車に搭載される撮像装置に用いることが難しい。
【０００７】
この発明はかかる現状に鑑みてなされたものであり、レンズ筒の中心軸に口径板の開口部の中心を一致させて維持することが可能なレンズ鏡筒及び撮像装置を提供することを目的とする。
【課題を解決するための手段】
【０００８】
上記目的を達成するため、本発明のレンズ鏡筒は、
開口部が形成された口径板と、レンズと前記口径板を内部に収容して保持するレンズ筒とを、有するレンズ鏡筒において、
前記レンズ筒の内周に、所定の高さに隆起し所定の間隔で配置された突起部と、少なくとも１つの筒部回転止めと、を有し、
前記口径板の外周に、少なくとも２つの嵌合部群と、少なくとも１つの板部回転止めと、を有し、
前記嵌合部群には、前記突起部と対向する嵌合部が当該突起部のそれぞれに対して形成され、
前記嵌合部と前記開口部の中心との距離は、前記嵌合部群ごとに異なり、
前記筒部回転止めと前記板部回転止めとが係合するとともに、前記嵌合部群のいずれか１つと前記突起部とが対向することによって、前記レンズ筒と前記口径板とが、はまり合う。
【０００９】
例えば、前記嵌合部または前記突起部の少なくとも一方が、円弧端を有する。
例えば、前記突起部のそれぞれは、前記レンズ筒の内周に均等に形成され、前記嵌合部群の１つは、前記嵌合部のそれぞれが前記口径板の外周に均等に形成されている。
【００１０】
例えば、前記口径板は、少なくとも２つある前記嵌合部群をそれぞれ判別する目印を有している。
例えば、前記板部回転止めが凸状部であり、前記筒部回転止めが凹状部であり、前記凸状部と前記凹状部とが略矩形に形成されている。
【００１１】
また、本発明に係る撮像装置は、上述のレンズ鏡筒を備える。
【発明の効果】
【００１２】
本発明によれば、嵌合部と開口部の中心との距離が、嵌合部群ごとに異なる。そのため、口径板及びレンズ筒に加工誤差がある場合であっても、いずれか１つの嵌合部群を選択し、その選択した嵌合部群と突起部とが対向することによってレンズ筒と口径板とがはまり合う。そのことによって、レンズ筒の中心軸と口径板の開口部の中心がずれないようにすることができる。また、板部回転止めと筒部回転止とが係合するため、強い衝撃がレンズ鏡筒に加えられても、口径板が回転せず、レンズ筒と口径板との、はめあいが維持される。したがって、レンズ筒の中心軸に口径板の開口部の中心を一致させて維持することが可能になる。
【図面の簡単な説明】
【００１３】
【図１】本発明の実施形態に係るレンズ鏡筒の断面図である。
【図２】本発明の実施形態に係るレンズ筒の断面図である。
【図３】本発明の実施形態に係る口径板の正面図である。
【図４】図１に示すＡ部の拡大図である。
【図５】図１に示すＢ−Ｂ断面図である。
【図６】本発明の実施形態に係るレンズ鏡筒の断面図である。
【図７】本発明の他の実施形態に係る口径板の正面図である。
【図８】本発明の他の実施形態に係るレンズ鏡筒の断面図である。
【図９】本発明の他の実施形態に係る口径板の正面図である。
【図１０】本発明の他の実施形態に係るレンズ筒の断面図である。
【図１１】本発明の他の実施形態に係るレンズ筒の断面図である。
【図１２】本発明の他の実施形態に係るレンズ鏡筒の断面図である。
【図１３】本発明の他の実施形態に係るレンズ鏡筒の断面図である。
【図１４】本発明の実施形態に係る撮像装置の斜視図である。
【発明を実施するための形態】
【００１４】
以下、本発明を実施するための最良の形態に係るレンズ鏡筒を、図面を参照しながら説明する。
【００１５】
本発明の実施形態に係るレンズ鏡筒１は、図１の断面図に示すように、レンズ筒２と口径板３とレンズＧ１〜Ｇ４を有する。
【００１６】
レンズ筒２は、略円筒状の部材であって、レンズＧ１〜Ｇ４の光軸ＡＸと口径板３の後述する開口部３ａの中心ＣＰ（図３参照）とをレンズ筒２の中心軸ＣＸ（図２参照）に一致させるように、レンズＧ１〜Ｇ４と口径板３とを内部に保持する。レンズ筒２は、樹脂材料やアルミダイカストにより形成される。
【００１７】
レンズ筒２の内周壁２ａには、図２に示すように、３つの突起部２ｂ〜２ｄと６つの筒部回転止め２ｅ〜２ｊが形成されている。
【００１８】
突起部２ｂ〜２ｄは、周方向に１２０°回転対称に形成され、それぞれ、レンズ筒２の内周壁２ａからレンズ筒２の中心軸ＣＸに向かって隆起し、レンズ筒２の軸方向に延伸する部位である。突起部２ｂ〜２ｄの断面形状は半円である。また、突起部２ｂ〜２ｄは、レンズ筒２の内周壁２ａに周方向に等間隔で配置されている。突起部２ｂ〜２ｄは、レンズ筒２の中心軸ＣＸからその先端までの距離Ｄが同一の長さｄとなるように形成されている。突起部２ｂ〜２ｄは、後述するように、開口部３ａの中心ＣＰをレンズ筒２の中心軸ＣＸに一致させるように、口径板３の位置を周方向から３点で規定する。本実施の形態では、レンズ筒２の中心軸ＣＸから突起部２ｂ〜２ｄの先端までの距離Ｄの許容誤差として、±εａが設定されているとする。
【００１９】
また、筒部回転止め２ｅ〜２ｊは、レンズ筒２の内周壁２ａに形成された略矩形の凹状部であり、中心軸ＣＸに沿って溝状に形成され、レンズ筒２の内周壁２ａに周方向に等間隔で配置されている。筒部回転止め２ｅと突起部２ｂ、筒部回転止め２ｇと突起部２ｃ、筒部回転止め２ｉと突起部２ｄは、隣接して形成されている。
【００２０】
図１に示す口径板３は、不要な光が受光部に入らないように口径を規定して光束を絞って遮光する部材であり遮光板とも呼ばれる。口径板３は、レンズＧ３とレンズＧ４の間に配置されている。口径板３は、図３に示すように円形の穴である開口部３ａを中央に有する略円形の平板である。
【００２１】
口径板３は、板部回転止め３ｂと嵌合部３ｃ〜３ｈとを有する。板部回転止め３ｂは、口径板３の外周から外向きに延伸する略矩形の凸状部である。板部回転止め３ｂは、レンズ筒２の筒部回転止め２ｅ〜２ｊのいずれかに挿入され、筒部回転止め２ｅ〜２ｊのいずれかと板部回転止め３ｂとは係合する。これによって、レンズ筒２に対する口径板３の回転を防止する。嵌合部３ｃ〜３ｈは、開口部３ａの中心ＣＰを中心とする円弧状の口径板３の周縁部であり、相対的に小径の嵌合部３ｃ、３ｅ、３ｇと、相対的に大径の嵌合部３ｄ、３ｆ、３ｈが交互に配置された構成を有する。
【００２２】
小径の嵌合部３ｃ、３ｅ、３ｇは、１２０°回転対称の位置に配置され、その半径ＲＳは互いに同一であり、嵌合部３ｃ、３ｅ、３ｇが一組となって嵌合部群３Ａを形成する。大径の嵌合部３ｄ、３ｆ、３ｈは、１２０°回転対称の位置に配置され、その半径ＲＬは互いに同一であり、嵌合部３ｄ、３ｆ、３ｈが一組となって嵌合部群３Ｂを形成する。
【００２３】
本実施の形態では、大径部の嵌合部３ｄ、３ｆ、３ｈの半径ＲＬの設計値は、ｄ＋εａであり、小径部の嵌合部３ｃ、３ｅ、３ｇの半径ＲＳの設計値は、ｄ−εａであるとする。そして、嵌合部３ｃ〜３ｈの半径ＲＬ、ＲＳの許容誤差も±εａに設定されているとする。すなわち、本実施の形態では、実際の距離Ｄ、半径ＲＬ、半径ＲＳは、それぞれ、設計値ｄ、ｄ＋εａ、ｄ−εａを中心に±εａの範囲内で変動する。
【００２４】
ここで、大径部の嵌合部３ｄ、３ｆ、３ｈの半径ＲＬと小径部の嵌合部３ｃ、３ｅ、３ｇの半径ＲＳとの差の大きさ（２εａ）は、１０μｍ〜２０μｍ程度である。なお、大径部の嵌合部３ｄ、３ｆ、３ｈの半径ＲＬと小径部の嵌合部３ｃ、３ｅ、３ｇの半径ＲＳとの差の大きさは、適宜設定されてよく、また許容誤差との関係で設定される場合であっても、本実施の形態のように２εａに限らず、εａ、εａ／２などであってもよい。
【００２５】
上記のような配置構造であるため、レンズ筒２の突起部２ｂ、２ｃ、２ｄに隣接する筒部回転止め２ｅ、２ｇ、２ｉのいずれかに口径板３の板部回転止め３ｂを差し込むと、嵌合部群３Ｂのいずれかの嵌合部３ｄ、３ｆ、３ｈと突起部２ｂ〜２ｄとが、それぞれ対向する。また、筒部回転止め２ｆ、２ｈ、２ｊのいずれかに口径板３の板部回転止め３ｂを差し込むと、嵌合部群３Ａのいずれかの嵌合部３ｃ、３ｅ、３ｇと突起部２ｂ〜２ｄとが、それぞれ対向する（図４及び図５参照）。
【００２６】
レンズＧ１〜Ｇ４は、光を集めて像をつくる部品であり、例えば、レンズ鏡筒１が取り付けられる撮像装置の撮像素子の撮像面上に像をつくる。例えば、レンズＧ１は、被写体側に設けられて、主に画角を設定するなどの働きをし、レンズＧ２〜Ｇ４は、解像度を保つ働きをする。
【００２７】
レンズ鏡筒１に保持されるレンズは、所望の物性（例えば屈折率・アッベ数・部分分散比・線膨張係数）や耐久性などを満たせば、レンズの枚数やレンズの材質やレンズの形状は問わない。
【００２８】
また、レンズ鏡筒１に保持されるレンズのレンズ面は、球面または平面で形成されても、非球面で形成されてもよい。レンズ面が球面または平面の場合、レンズ加工及び組立調整が容易になり、加工及び組立調整の誤差による光学性能の変化を防げるので好ましい。また、レンズ面が非球面の場合、非球面は、研削加工による非球面、ガラスを型で非球面形状に形成したガラスモールド非球面、ガラスの表面に樹脂を非球面形状に形成した複合型非球面のいずれの非球面でも構わない。また、レンズ面は回折面としてもよく、レンズを屈折率分布型レンズ（ＧＲＩＮレンズ）あるいはプラスチックレンズとしてもよい。
【００２９】
更に、レンズ鏡筒１に保持されるレンズのレンズ面は、必要に応じて、レンズ体の表面に、様々な加工を施すことも可能である。この加工の例として、レンズ体の曇り防止や水滴形成防止のために表面部を光触媒などにより親水化することが挙げられる。例えば、撮像装置などでの使用時等に外部に晒される可能性がある部位に対して、レンズ本体の曇り防止や水滴形成防止のために、光触媒等により親水化する加工等が挙げられる。
【００３０】
次に、本実施の形態に係るレンズ鏡筒１の組み立て手順について説明する。
【００３１】
まず、レンズ筒２にレンズＧ４を収納して固定する。次に、口径板３の板部回転止め３ｂをレンズ筒２の筒部回転止め２ｅ〜２ｊのいずれかに差し込んで口径板３をレンズ筒２に収納する。口径板３の取り付け位置は、レンズ筒２と口径板３のサイズの加工誤差の程度により異なる。
【００３２】
ここでは、まず、理解を容易にするため、レンズ筒２の中心軸ＣＸから突起部２ｂ〜２ｄの先端までの距離Ｄには加工誤差が発生せず、口径板３の大径部の嵌合部３ｄ、３ｆ、３ｈの半径ＲＬと小径部の嵌合部３ｃ、３ｅ、３ｇの半径ＲＳに加工誤差εが発生する場合について説明する。
【００３３】
この場合において、まず、口径板３が、許容誤差の範囲内で最も小さく作られたとき、すなわち、口径板３の大径部の嵌合部３ｄ、３ｆ、３ｈの半径ＲＬがｄであり、小径部の嵌合部３ｃ、３ｅ、３ｇの半径ＲＳがｄ−２εａであるときについて説明する。
【００３４】
突起部２ｂ〜２ｄに隣接して形成されている筒部回転止め２ｅ、２ｇ、２ｉのいずれかに口径板３の板部回転止め３ｂを差し込む。このとき、嵌合部群３Ｂの嵌合部３ｄ、３ｆ、３ｈの半径ＲＬはｄであり、レンズ筒２の中心軸ＣＸから突起部２ｂ〜２ｄの先端までの距離Ｄの長さｄと同一である。そのため、突起部２ｂ〜２ｄと嵌合部群３Ｂとが対向することによって、レンズ筒２と口径板３とは、はまり合う。これにより、レンズ筒２の中心軸ＣＸと開口部３ａの中心ＣＰとを一致させることができる。
【００３５】
また、筒部回転止め２ｅ、２ｇ、２ｉのいずれかに板部回転止め３ｂは挿入されている。そのため、強い衝撃が加えられても、筒部回転止め２ｅ、２ｇ、２ｉのいずれかと板部回転止め３ｂとは係合し、口径板３がほとんど回転しない。したがって、レンズ筒２と口径板３との、はめあいを維持することができる。なお、図５に、口径板３の板部回転止め３ｂを筒部回転止め２ｅに差し込み、突起部２ｂと嵌合部３ｈ、突起部２ｃと嵌合部３ｄ、突起部２ｄと嵌合部３ｆのそれぞれが対向することによって、レンズ筒２と口径板３とが、はまり合うレンズ鏡筒１の断面図を示す。
【００３６】
次に、口径板３が、許容誤差の範囲内で最も大きく作られたとき、すなわち、口径板３の大径部の嵌合部３ｄ、３ｆ、３ｈの半径ＲＬがｄ＋２εａであり、小径部の嵌合部３ｃ、３ｅ、３ｇの半径ＲＳがｄであるときについて説明する。
【００３７】
突起部２ｂ〜２ｄに隣接して形成されている筒部回転止め２ｅ、２ｇ、２ｉのいずれかに口径板３の板部回転止め３ｂを差し込む。このとき、嵌合部群３Ｂの嵌合部３ｄ、３ｆ、３ｈの半径ＲＬはｄ＋２εａであり、レンズ筒２の中心軸ＣＸから突起部２ｂ〜２ｄの先端までの距離Ｄの長さｄよりも長い。そのため、筒部回転止め２ｅ、２ｇ、２ｉのいずれかに板部回転止め３ｂを差し込んだとしても、口径板３をレンズ筒２内にはめようとすると、口径板３が撓むなどしてしまうので、レンズ筒２の中心軸ＣＸと開口部３ａの中心ＣＰを一致させることが困難である。
【００３８】
そこで、口径板３の板部回転止め３ｂを、レンズ筒２の筒部回転止め２ｅ、２ｇ、２ｉから外して筒部回転止め２ｆ、２ｈ、２ｊのいずれかに差し込む。このとき、嵌合部群３Ａの嵌合部３ｃ、３ｅ、３ｇの半径ＲＳはｄであり、レンズ筒２の中心軸ＣＸから突起部２ｂ〜２ｄの先端までの距離Ｄの長さｄと同一である。そのため、突起部２ｂ〜２ｄと嵌合部群３Ａとが対向することによって、レンズ筒２と口径板３とは、はまり合う。したがって、レンズ筒２の中心軸ＣＸと開口部３ａの中心ＣＰを一致させることができる。
【００３９】
また、筒部回転止め２ｆ、２ｈ、２ｊのいずれかに板部回転止め３ｂは挿入されている。そのため、強い衝撃が加えられても、筒部回転止め２ｆ、２ｈ、２ｊのいずれかと板部回転止め３ｂとは係合し、口径板３がほとんど回転しない。したがって、レンズ筒２と口径板３との、はめあいを維持することができる。なお、図６に、口径板３の板部回転止め３ｂを筒部回転止め２ｆに差し込み、突起部２ｂと嵌合部３ｇ、突起部２ｃと嵌合部３ｃ、突起部２ｄと嵌合部３ｅのそれぞれが対向することによって、レンズ筒２と口径板３とが、はまり合うレンズ鏡筒１の断面図を示す。
【００４０】
次に、レンズ筒２の中心軸ＣＸから突起部２ｂ〜２ｄの先端までの距離Ｄにも、加工誤差εが発生した場合について説明する。
【００４１】
この場合において、まず、レンズ筒２の中心軸ＣＸから突起部２ｂ〜２ｄの先端までの距離Ｄの加工誤差εと、口径板３の大径部の嵌合部３ｄ、３ｆ、３ｈの半径ＲＬの加工誤差εと、小径部の嵌合部３ｃ、３ｅ、３ｇの半径ＲＳの加工誤差εとが、いずれも＋εａであるときについて説明する。
【００４２】
突起部２ｂ〜２ｄに隣接して形成されている筒部回転止め２ｅ、２ｇ、２ｉのいずれかに口径板３の板部回転止め３ｂを差し込む。このとき、嵌合部群３Ｂの嵌合部３ｄ、３ｆ、３ｈの半径ＲＬはｄ＋２εａであり、レンズ筒２の中心軸ＣＸから突起部２ｂ〜２ｄの先端までの距離Ｄの長さｄ＋εａよりも長い。そのため、筒部回転止め２ｅ、２ｇ、２ｉのいずれかに板部回転止め３ｂを差し込んだとしても、口径板３をレンズ筒２内にはめようとすると、口径板３が撓むなどしてしまうので、レンズ筒２の中心軸ＣＸと開口部３ａの中心ＣＰを一致させることが困難である。
【００４３】
そこで、口径板３の板部回転止め３ｂを、レンズ筒２の筒部回転止め２ｅ、２ｇ、２ｉから外して筒部回転止め２ｆ、２ｈ、２ｊのいずれかに差し込む。このとき、嵌合部群３Ａの嵌合部３ｃ、３ｅ、３ｇの半径ＲＳはｄであり、レンズ筒２の中心軸ＣＸから突起部２ｂ〜２ｄの先端までの距離Ｄの長さｄ＋εａより短い。そのため、口径板３をレンズ筒２内に挿入できる。そして、突起部２ｂ〜２ｄのいずれかと嵌合部群３Ａの嵌合部３ｃ、３ｅ、３ｇのいずれかとはそれぞれ対向する。また、突起部２ｂ〜２ｄと嵌合部群３Ａの嵌合部３ｃ、３ｅ、３ｇのすきまはεａであり、許容誤差の範囲内となる。ゆえに、レンズ筒２と口径板３とは、すきまばめの状態で、はまり合う。したがって、レンズ筒２の中心軸ＣＸと開口部３ａの中心ＣＰを一致させることができる。
【００４４】
また、筒部回転止め２ｆ、２ｈ、２ｊのいずれかに板部回転止め３ｂは挿入されている。そのため、強い衝撃が加えられても、筒部回転止め２ｆ、２ｈ、２ｊのいずれかと板部回転止め３ｂは係合し、口径板３がほとんど回転しない。したがって、レンズ筒２と口径板３との、はめあいを維持することができる。なお、口径板３の板部回転止め３ｂを筒部回転止め２ｆに差し込み、突起部２ｂと嵌合部３ｇ、突起部２ｃと嵌合部３ｃ、突起部２ｄと嵌合部３ｅのそれぞれが対向することによって、レンズ筒２と口径板３とが、はまり合うレンズ鏡筒１の断面は先に示した図６と同様である。
【００４５】
次に、レンズ筒２の中心軸ＣＸから突起部２ｂ〜２ｄの先端までの距離Ｄの加工誤差εと、口径板３の大径部の嵌合部３ｄ、３ｆ、３ｈの半径ＲＬの加工誤差εと、小径部の嵌合部３ｃ、３ｅ、３ｇの半径ＲＳの加工誤差εとが、いずれも−εａであるときについて説明する。
【００４６】
突起部２ｂ〜２ｄに隣接して形成されている筒部回転止め２ｅ、２ｇ、２ｉのいずれかに口径板３の板部回転止め３ｂを差し込む。このとき、嵌合部群３Ｂの嵌合部３ｄ、３ｆ、３ｈの半径ＲＬはｄであり、レンズ筒２の中心軸ＣＸから突起部２ｂ〜２ｄの先端までの距離Ｄの長さｄ−εａよりも長い。そのため、筒部回転止め２ｅ、２ｇ、２ｉのいずれかに板部回転止め３ｂを差し込んだとしても、口径板３をレンズ筒２内にはめようとすると、口径板３が撓むなどしてしまうので、レンズ筒２の中心軸ＣＸと開口部３ａの中心ＣＰを一致させることが困難である。
【００４７】
そこで、口径板３の板部回転止め３ｂを、レンズ筒２の筒部回転止め２ｅ、２ｇ、２ｉから外して筒部回転止め２ｆ、２ｈ、２ｊのいずれかに差し込む。このとき、嵌合部群３Ａの嵌合部３ｃ、３ｅ、３ｇの半径ＲＳはｄ−２εａであり、レンズ筒２の中心軸ＣＸから突起部２ｂ〜２ｄの先端までの距離Ｄの長さｄ−εａより短い。そのため、口径板３をレンズ筒２内に挿入できる。そして、突起部２ｂ〜２ｄのいずれかと嵌合部群３Ａの嵌合部３ｃ、３ｅ、３ｇのいずれかはそれぞれ対向する。また、突起部２ｂ〜２ｄと嵌合部群３Ａの嵌合部３ｃ、３ｅ、３ｇのすきまはεａであり、許容誤差の範囲内となる。ゆえに、レンズ筒２と口径板３とは、すきまばめの状態で、はまり合う。したがって、レンズ筒２の中心軸ＣＸと開口部３ａの中心ＣＰを一致させることができる。
【００４８】
次に、レンズ筒２の中心軸ＣＸから突起部２ｂ〜２ｄの先端までの距離Ｄの加工誤差εが−εａであり、口径板３の大径部の嵌合部３ｄ、３ｆ、３ｈの半径ＲＬの加工誤差εと小径部の嵌合部３ｃ、３ｅ、３ｇの半径ＲＳの加工誤差εとが＋εａであるときについて説明する。
【００４９】
突起部２ｂ〜２ｄに隣接して形成されている筒部回転止め２ｅ、２ｇ、２ｉのいずれかに口径板３の板部回転止め３ｂを差し込む。このとき、嵌合部群３Ｂの嵌合部３ｄ、３ｆ、３ｈの半径ＲＬはｄ＋２εであり、レンズ筒２の中心軸ＣＸから突起部２ｂ〜２ｄの先端までの距離Ｄの長さｄ−εａよりも長い。そのため、筒部回転止め２ｅ、２ｇ、２ｉのいずれかに板部回転止め３ｂを差し込んだとしても、口径板３をレンズ筒２内にはめようとすると、口径板３が撓むなどしてしまうので、レンズ筒２の中心軸ＣＸと開口部３ａの中心ＣＰを一致させることが困難である。
【００５０】
そこで、口径板３の板部回転止め３ｂを、レンズ筒２の筒部回転止め２ｅ、２ｇ、２ｉから外して筒部回転止め２ｆ、２ｈ、２ｊのいずれかに差し込む。このとき、嵌合部群３Ａの嵌合部３ｃ、３ｅ、３ｇの半径ＲＳはｄであり、レンズ筒２の中心軸ＣＸから突起部２ｂ〜２ｄの先端までの距離Ｄの長さｄ−εａより長い。そのため、筒部回転止め２ｆ、２ｈ、２ｊのいずれかに板部回転止め３ｂを差し込んだとしても、口径板３をレンズ筒２内にはめようとすると、口径板３が撓むなどしてしまうので、レンズ筒２の中心軸ＣＸと開口部３ａの中心ＣＰを一致させることが困難である。
【００５１】
したがって、レンズ筒２の中心軸ＣＸから突起部２ｂ〜２ｄの先端までの距離Ｄの加工誤差εが−εａで、口径板３の大径部の嵌合部３ｄ、３ｆ、３ｈの半径ＲＬの加工誤差εと小径部の嵌合部３ｃ、３ｅ、３ｇの半径ＲＳの加工誤差εとが＋εａである場合には、筒部回転止め２ｅ〜２ｊのいずれに板部回転止め３ｂを差し込んだとしても、上述のとおり、口径板３をレンズ筒２内にはめようとすると、口径板３が撓むなどしてしまうので、レンズ筒２の中心軸ＣＸと開口部３ａの中心ＣＰを一致させることが困難である。このような場合、例えば、口径板３は、他の加工誤差を有するレンズ筒２に適用されるとよい。
【００５２】
次に、レンズ筒２の中心軸ＣＸから突起部２ｂ〜２ｄの先端までの距離Ｄの加工誤差εが＋εａであり、口径板３の大径部の嵌合部３ｄ、３ｆ、３ｈの半径ＲＬの加工誤差εと小径部の嵌合部３ｃ、３ｅ、３ｇの半径ＲＳの加工誤差εとが−εａであるときについて説明する。
【００５３】
突起部２ｂ〜２ｄに隣接して形成されている筒部回転止め２ｅ、２ｇ、２ｉのいずれかに口径板３の板部回転止め３ｂを差し込む。このとき、嵌合部群３Ｂの嵌合部３ｄ、３ｆ、３ｈの半径ＲＬはｄであり、レンズ筒２の中心軸ＣＸから突起部２ｂ〜２ｄの先端までの距離Ｄの長さｄ＋εａより短い。そのため、口径板３をレンズ筒２内に挿入できる。そして、突起部２ｂ〜２ｄのいずれかと嵌合部群３Ａの嵌合部３ｃ、３ｅ、３ｇのいずれかはそれぞれ対向する。また、突起部２ｂ〜２ｄと嵌合部群３Ｂの嵌合部３ｄ、３ｆ、３ｈのすきまはεａであり、許容誤差の範囲内となる。ゆえに、レンズ筒２と口径板３とは、すきまばめの状態で、はまり合う。したがって、レンズ筒２の中心軸ＣＸと開口部３ａの中心ＣＰを一致させることができる。
【００５４】
また、筒部回転止め２ｅ、２ｇ、２ｉのいずれかに板部回転止め３ｂは差し込まれる。そのため、強い衝撃が加えられても、筒部回転止め２ｅ、２ｇ、２ｉのいずれかと板部回転止め３ｂは係合し、口径板３がほとんど回転しない。したがって、レンズ筒２と口径板３との、はめあいを維持することができる。なお、口径板３の板部回転止め３ｂを筒部回転止め２ｅに差し込み、突起部２ｂと嵌合部３ｈ、突起部２ｃと嵌合部３ｄ、突起部２ｄと嵌合部３ｆのそれぞれが対向することによって、レンズ筒２と口径板３が、はまり合うレンズ鏡筒１の断面は先に示した図５と同様である。
【００５５】
なお、突起部２ｂ〜２ｄの先端までの距離Ｄと、嵌合部群３Ａの半径ＲＳと嵌合部群３Ｂの半径ＲＬのそれぞれとは、はめあい公差により作製され、レンズ筒２と口径板３とは、いわゆる「はめあい」により、はまり合うようになっている。そのため、レンズ筒２の中心軸ＣＸと開口部３ａの中心ＣＰを高精度に一致させることができる。また、口径板３をレンズ筒２内に、はめたときに、口径板３が撓むとレンズ筒２の中心軸ＣＸと開口部３ａの中心ＣＰを一致させることが困難であるため、はめあい公差は、すきまばめが好適である。
【００５６】
そして、口径板３をレンズ筒２に収納した後、レンズ筒２にレンズＧ３を収納し、口径板３をレンズＧ３、Ｇ４で挟み込む。その後、レンズＧ１、Ｇ２をレンズＧ２、レンズＧ１の順にレンズ筒２に収納して固定することで、レンズ鏡筒１は組み付けられる。
【００５７】
上記のように、口径板３の大径部の嵌合部３ｄ、３ｆ、３ｈの半径ＲＬの加工誤差εと小径部の嵌合部３ｃ、３ｅ、３ｇの半径ＲＳの加工誤差εにより、レンズ筒２の中心軸ＣＸと開口部３ａの中心ＣＰがずれる場合ある。その場合でも、板部回転止め３ｂを異なる筒部回転止め２ｅ〜２ｊに差し込むことにより、嵌合部群３Ａ、３Ｂのいずれかと突起部２ｂ〜２ｄとが対向することによって、レンズ筒２と口径板３とは、はまり合い、レンズ筒２の中心軸ＣＸと開口部３ａの中心ＣＰをより正確に一致させることができる。
【００５８】
また、板部回転止め３ｂは筒部回転止め２ｅ〜２ｊのいずれかに差し込まれる。そのため、強い衝撃が加えられても筒部回転止め２ｅ〜２ｊのいずれかと板部回転止め３ｂとは係合し、口径板３がほとんど回転しない。したがって、レンズ筒２と口径板３との、はめあいを維持することができる。
【００５９】
以上、本発明に係る実施形態について説明したが、具体的な構成はこの実施形態に限られるものではなく、本発明の要旨を逸脱しない範囲で、構成を適宜変更（構成要素の削除も含む）することが可能である。
【００６０】
上記の実施形態では、口径板３の外周から１つの板部回転止め３ｂが延伸するが、これは一例で、レンズ筒２に口径板３を収容するときに板部回転止め３ｂを筒部回転止め２ｅ〜２ｊに差し込むことができ、板部回転止め３ｂと筒部回転止め２ｅ〜２ｊとが係合することができれば、板部回転止め３ｂの個数と位置は適宜変更可能である。例えば、図７に示すように口径板３の外周から外向きに３つの板部回転止め３ｂをそれぞれ等間隔に延伸させてもよい。この場合に、３つの板部回転止め３ｂは、レンズ筒２の６つの筒部回転止め２ｅ〜２ｊのうちの３つにそれぞれ差し込まれる。そして、３つの板部回転止め３ｂをそれぞれレンズ筒２の筒部回転止め２ｅ〜２ｊのいずれかに差し込んだとき、口径板３の嵌合部群３Ａ、３Ｂのいずれか一方とレンズ筒２の突起部２ｂ〜２ｄとが対向することによって、レンズ筒２と口径板３とは、はまり合う。なお、図８に、３つの板部回転止め３ｂを筒部回転止め２ｅ、２ｇ、２ｉに差し込み、レンズ筒２の突起部２ｂ〜２ｄと口径板３の嵌合部群３Ｂとが対向することによって、レンズ筒２と口径板３とが、はまり合うレンズ鏡筒１の断面図を示す。
【００６１】
また、図９に示すように、６つの板部回転止め３ｂを口径板３の外周から外向きにそれぞれ等間隔に延伸させてもよい。この場合、レンズ筒２の６つの筒部回転止め２ｅ〜２ｊのいずれかに６つの板部回転止め３ｂはそれぞれ差し込まれ、口径板３の嵌合部群３Ａ、３Ｂのいずれか一方とレンズ筒２の突起部２ｂ〜２ｄとが対向することによって、レンズ筒２と口径板３とは、はまり合う。
【００６２】
なお、口径板３の外周から外向きに１つまたは３つの板部回転止め３ｂが延伸する場合は、図３または図７に示すように嵌合部群３Ａ、３Ｂの嵌合部の間には段差Ｓが形成される。そのため、嵌合部群３Ａ、３Ｂの判別が容易にできる。しかし、図９に示すように口径板３の外周から外向きに６つの板部回転止め３ｂが延伸する場合には段差Ｓがない。そのため、嵌合部群３Ａ、３Ｂの判別ができないおそれがある。そこで、図９に示すように３つの板部回転止め３ｂの先端に窪み３ｉを目印として設けて、窪み３ｉとレンズ筒２の突起部２ｂ〜２ｄの位置関係により嵌合部群３Ａ、３Ｂの判別できるようにしてもよい。
【００６３】
また、上記の実施形態では、６つの筒部回転止め２ｅ〜２ｊをレンズ筒２の内周に均等に形成したがこれは一例であり、板部回転止めが差し込まれ、筒部回転止めと板部回転止めとが係合することができれば、筒部回転止めの個数と位置は適宜変更可能である。例えば、図１０に示すように１つの筒部回転止め２ｅのみをレンズ筒２に形成してもよい。この場合、１つの板部回転止め３ｂを有する口径板３を裏返すことで、異なる嵌合部群３Ａ、３Ｂと、突起部２ｂ〜２ｄとを対向することができ、レンズ筒２と口径板３とは、はまり合う。
【００６４】
また、上記の実施形態では、突起部２ｂ〜２ｄの断面形状を半円形としたが、これは一例であり、レンズ筒２と口径板３とが、はまり合うことができれば突起部２ｂ〜２ｄの断面形状は適宜変更可能である。例えば、図１１に示すようにレンズ筒２の中心に向かって頂角が突き出た三角形を突起部２ｂ〜２ｄの断面形状としてもよい。
【００６５】
また、上記の実施形態では、突起部２ｂ〜２ｄを３つ形成したが、これは一例であり、レンズ筒２と口径板３とが、はまり合うことができれば適宜変更可能である。例えば、４つ以上形成してもよい。なお、この場合には、嵌合部群３Ａ、３Ｂの嵌合部を突起部と同数形成すればよい。
【００６６】
また、上記の実施形態では、嵌合部群が口径板３に２つ形成されているが、これは一例であり、レンズ筒２と口径板３とが、はまり合うことができれば適宜変更可能である。例えば、図１２に示すように嵌合部群を３つ形成してもよい。この場合、レンズ筒２に筒部回転止めは９つ形成すれば良い。
【００６７】
また、上記の実施形態では、筒部回転止め２ｅ〜２ｊの断面形状と板部回転止め３ｂの形状を略矩形としたがこれは一例であり、筒部回転止め２ｅ〜２ｊのいずれかと板部回転止め３ｂとが係合し、口径板３の回転を防止することができれば、筒部回転止めの断面形状２ｅ〜２ｊと板部回転止め３ｂの形状は適宜変更可能である。例えば、筒部回転止め２ｅ〜２ｊの断面形状と板部回転止め３ｂの形状を半円形としてもよい。また、上記の実施形態では、筒部回転止め２ｅ〜２ｊを凹状部、板部回転止め３ｂを凸状部としたがこれは一例である。例えば、筒部回転止め２ｅ〜２ｊを凸状部、板部回転止め３ｂを凹状部としてもよい。
【００６８】
また、上記の実施形態では、１つの製品において、レンズ筒２の中心軸ＣＸと開口部３ａの中心軸ＣＰを一致させるために口径板３を用いたが、これは一例である。例えば、レンズ筒２の中心軸ＣＸから突起部２ｂ〜２ｄの先端までの距離の異なる別の機種の製品に、口径板３を共通部品として用いることもできる。
【００６９】
また、上記の実施形態では、口径板３を略円形の平板としたが、これは一例である。不要な光が受光部に入らないように口径を規定して光束を絞って遮光できる形状であれば、他の形状、例えば、図１３に示すように六角形の平板でもよく、他の多角形の平板であってもよい。
【００７０】
また、上記の実施形態では、レンズＧ３とレンズＧ４の間に口径板３を配置したが、これは一例である。例えば、レンズＧ１とレンズＧ２、レンズＧ２とレンズＧ３の間に口径板を配置してもよい。
【００７１】
また、上記の実施形態では、レンズ筒２と口径板３とは、すきまばめにより、はまり合うようしたが、これは一例である。例えば、口径板３をレンズ筒２内に、はめたときに、口径板３が撓んでレンズ筒２の中心軸ＣＸと開口部３ａの中心ＣＰとがずれてしまうことがなければ、中間ばめでもよく、しまりばめでもよい。
【００７２】
また、本発明のレンズ鏡筒１は、固定焦点の撮像装置に用いることが好適であるが、ピント焦点調整ができる撮像装置にも使用することできる。この撮像装置は、例えば、動画を撮影するカメラ、静止画を撮影するカメラなどが挙げられる。また、図１４に示すように車載用撮像装置１０に本発明のレンズ鏡筒１を好適に用いることができる。本発明のレンズ鏡筒１を備えた車載用撮像装置１０によれば、口径板３の開口部３ａの中心ＣＰがレンズ筒２の中心軸ＣＸからずれてしまうおそれがなく、車線認識の障害の発生を防止することができる。
【００７３】
以上、本発明を詳細に説明したが、上記の実施形態や変形例はあくまでも例示であり、本発明をこれらに限定するものではなく、本発明の趣旨を逸脱しない範囲でさまざまな実施形態が可能である。なお、本発明の理解を容易にするために、公知の技術的事項の説明を適宜省略した。
【符号の説明】
【００７４】
１…レンズ鏡筒
２…レンズ筒
２ａ…内周壁
２ｂ、２ｃ、２ｄ…突起部
２ｅ、２ｆ、２ｇ、２ｈ、２ｉ、２ｊ…筒部回転止め
３…口径板
３ａ…開口部
３ｂ…板部回転止め
３ｃ、３ｄ、３ｅ、３ｆ、３ｇ、３ｈ…嵌合部
３Ａ、３Ｂ…嵌合部群
１０…撮像装置
ＡＸ…光軸
ＣＸ…レンズ筒の中心軸
ＣＰ…開口部の中心
Ｄ…レンズ筒の中心軸ＣＸから突起部の先端までの距離
ｄ…距離Ｄの長さ
ＲＳ、ＲＬ…開口部の中心ＣＰを中心とする嵌合部の半径
【図１】
0006529339.tif 000002
【図２】
0006529339.tif 000003
【図３】
0006529339.tif 000004
【図４】
0006529339.tif 000005
【図５】
0006529339.tif 000006
【図６】
0006529339.tif 000007
【図７】
0006529339.tif 000008
【図８】
0006529339.tif 000009
【図９】
0006529339.tif 000010
【図１０】
0006529339.tif 000011
【図１１】
0006529339.tif 000012
【図１２】
0006529339.tif 000013
【図１３】
0006529339.tif 000014
【図１４】
0006529339.tif 000015